(57)【要約】【課題】洗面台などで使用時に転倒することがなく、補充にあたり内容物をこぼして周囲を汚すなどの虞が無い容器及び内容物の補充方法の提供。【解決手段】界面活性剤入りの液体化粧料等の内容物を収納する容器本体に内容物を出すための開口部と固定用ねじとが設けられ、上記開口部が上記固定用ねじと対向する位置に突出する突起に設けられていると共に内容物を吐出するためのポンプを有している容器を容器取付部材にて固定する。洗面台などで使用するのに適する。【選択図】図４
2006213339.tif 000002
【特許請求の範囲】
【請求項１】
内容物を収納する容器本体に内容物を出すための開口部と固定用ねじとが設けられ、上記開口部が上記固定用ねじとは異なった位置に突出する突起に設けられていると共に内容物を吐出するためのポンプを有している容器。
【請求項２】
固定用のねじが開口部と対向する位置に設けられた請求項１記載の容器。
【請求項３】
上記ポンプを動作させるために加える力が上記対向する位置に向かうものである請求項１又は２記載の容器。
【請求項４】
固定用のねじの内部が内容物を入れる空間の一部である請求項１ないし３記載の容器。
【請求項５】
上記ポンプの液導入用チューブの液導入端が、上記固定用のねじの内部に達している、請求項４記載の容器。
【請求項６】
請求項１ないし５記載の容器に、内容物として界面活性剤入りの液体化粧料を内容した化粧料製品。 
【請求項７】
内容物を出すための開口部と、該開口部とは対向する位置に設けられた固定用のねじを有する容器本体。
【請求項８】
固定用のねじの内部が内容物を入れる空間の一部である請求項６記載の容器本体。
【請求項９】
内容物を出すための開口部と、該開口部とは対向する位置に設けられ、その内部が内容物を入れる空間の一部である固定用のねじを有する容器本体に、内容物として界面活性剤入りの液体化粧料を内容し、上記開口部を蓋体で封じた化粧料製品。 
【請求項１０】
内容物を収容するための容器本体の固定用ねじが設けられた底部と対向する位置に剤を出すためのポンプを備えた開口部を設けた容器に剤を充填する方法であって、上記固定用ねじを用いて載置場所に固定された容器本体から上記ポンプを外し、容器本体が上記ねじを用いて上記載置場所に固定された状態の下で上記容器本体に上記開口部より内容物を入れる、容器に剤を充填する方法。
【発明の詳細な説明】
【技術分野】
【０００１】
本発明は容器に係り、洗面台などで洗浄剤を使用するのに好適な容器に関する。
【背景技術】
【０００２】
浴室や洗面台などで、空間を有効に使用するために、台を設けてその上に使用するシャンプーなどの洗浄剤容器を置くものが知られている（特許文献１）。
【０００３】
また、同じ目的で吸盤によって壁に固定した平面視二股状の係着座を市販のポンプ付き容器のネジ筒に嵌めるものがある（特許文献２）
一方、容器の下方に剤の出口を設けその周囲にネジを切って容器を栓に固定したものも知られている（特許文献３）。
【０００４】
しかるに、特許文献１記載のように台を設けてその上に使用するシャンプーを置くと、ぬれた手などでポンプを押した場合、横に滑って容器が転倒するなどの問題がある。
【０００５】
ポンプ容器を壁などに固定することで転倒は防止できるが、特許文献２に記載のようにポンプ容器の首部を細い係着座に固定すると、強い力で押したときに折れるなどの問題がある。
【０００６】
特許文献３において押したときに転倒したりずれたりすることはないが、液の重量を利用して滴下するので、押している時間に取り出される液量が依存し、内容液が多すぎたり少なすぎたりする場合がある。
【０００７】
【特許文献１】特開平２００２−１５３３９３号公報
【特許文献２】特開２００２−１５３３９３号公報
【特許文献３】特開平７−２２２６９３号公報
【発明の開示】
【発明が解決しようとする課題】
【０００８】
本発明は、上述の課題を解決するもので、洗面台などで転倒したりすることのない容器および容器の固定方法を提供するものである。
【課題を解決するための手段】
【０００９】
本発明は、内容物を収納する容器本体に内容物を出すための開口部を有し、上記容器本体に固定用ねじが設けられた容器であって、上記固定用ねじの螺旋の外部に上記開口部が存在している容器を提供することで、上記課題を解決する。
【発明の効果】
【００１０】
本発明の容器は、洗面台などで使用時に転倒することがない。本発明の容器は、洗面台などに安定して固定できる。本発明の内容物の補充方法は、補充にあたり内容物をこぼして周囲を汚すなどの虞が無い。
【発明を実施するための最良の形態】
【００１１】
以下、本発明の第一の実施の形態について、図１〜図５を使って説明する。
【００１２】
本発明の容器１の容器本体２は、図１に示す如く、収納する内容物を出すための開口部３Bを有し、上記容器本体２の底面２Aから突出するに固定用ねじ４が設けてある。すなわち、容器本体２では固定用ねじ４とは別の位置に内容物を出し入れするための開口部３を有する上方突起３が本体上部壁面２Bから突出して設けてあり、上方突起３の周囲にポンプ取付用ねじ３Aが形成してある。
【００１３】
容器本体２は、図1等に示すように、円筒状の中央部２Cと該中央部２Cに連続し球または楕円回転体が外に向かって凸になる形状の底面２Aと上部壁面２Bとからなり、その上端および下端、すなわち底面２Aと上部壁面２Bの各々の中央部に、開口部３Bを有する上方突起３と固定用ねじ４Aを有する下方突起４とが突出している。
【００１４】
以上のように構成されているので、容器本体２は全体として開口部３Bと固定用ねじ４Aの中心を通る仮想的な軸ZZ’を中心とした回転体となっていて、軸ZZ’を含む任意の平面を対称面とする対称な形状になっている。
【００１５】
このように容器本体が全体として面対称あるいは線対称の形状、好ましくは回転体となっていることで、全体の強度が向上する。
【００１６】
固定用ねじ４Aは前述の如く、開口部３Bと対向する底面２Aの略中央に設けられている。固定用ねじ４A（下方突起４）は図４に示すようにその内部が容器本体2の内部と連通する空間４Cとなっており使用時には内容物で満たされる。この固定用ねじの内部の空間４Cには図４に示すようにポンプ５の液導入用チューブ５Aの先端にある液導入端５Bが達している。
【００１７】
図３に示すように、固定用ねじ４Aにて、洗面台８に設けた容器取付部材９に容器1が固定される。
【００１８】
容器取付部材９は図示しないボルトがその下部９Aより突出している。洗面台８の上面の図示しない孔に上記図示しないボルトが挿入され、該図示しないボルトに洗面台８の下方より図示しないナットが螺合して容器取付部材９が洗面台８に固定される。
【００１９】
固定用ねじ４Aと容器本体2を挟むようにして対向する位置である容器本体２の上部中央には内容物を出し入れするための開口部３Bを有する上方突起３が容器本体２の上部壁面２Bから突出して設けてあり、上方突起３の周囲にポンプ取付用ねじ３Aが形成してある。ポンプ取付用ねじ３Aにより、内容物を吐出するためのポンプ５が備えられる（図２）。
【００２０】
ポンプ５は図４に示すようにその下方に内容物を取り出すための液導入用チューブ５Aが設けてあり、その先端（液導入端）５Bは、固定用ねじ４の内部の空間４Cに達している。
【００２１】
本実施の形態では、内容物として界面活性剤入りの手洗い用洗浄剤が容器本体2に収容されている。使用者がポンプ５の押圧部５Pを下方に押すことで、内容物の手洗い用洗浄剤は吐出口５Dより吐出され、使用される。
【００２２】
なお、本発明で用いる内容物の界面活性剤入りの液体化粧料として、上述した手洗い用洗浄剤のほか、シャンプー、リンスなどの洗浄剤、顔用をはじめとする身体用洗浄料を挙げることができる。そのほか、うがい薬、口腔用洗浄剤などの殺菌（除菌）、消毒を目的とする剤や、台所洗剤などのを内容物とすることもできる。
【００２３】
本実施形態の如く、固定用ねじ４Aを開口部３Bと対向する位置である底面２Aの略中央に設けることで、内容物である洗浄剤を吐出するためにポンプ５の押圧部５Pを必要以上に強い力で押した場合の固定用ねじ４Aを備える下方突起４やその周囲の変形が防止できる。特に、本実施形態の如く、固定用ねじ４とポンプ取付用ねじ３Aの回転中心とがほぼ一直線になっているとき変形しにくい。
【００２４】
また、上述の如く、外に向かって凸になるように形成した球や楕円回転体などの曲面で構成される上部壁面２Bおよび底面２Aの中央部に各々開口部３を有する突起２Cと固定用ねじ４とが突出しているので、上部壁面２Bあるいは底面２Aがそのほぼ全体で応力を分散支持することになり、この点からも変形しにくい。
【００２５】
さらに、容器本体２が記述の如く全体として対称な形状になっていることも変形防止に寄与している。
【００２６】
本実施態様では容器本体２を、上述の如く構成したので、ポンプ５を作動させる際の押し圧力による固定用ねじ４Aと容器本体２とが接続される部分である固定ねじ接続部２Dへの応力が周に亘りほぼ均一にかかり、下方突起４（固定用ねじ４A）が固定ねじ接続部２Dの部分で折れるなどの損傷を防止できる。
【００２７】
すなわち、取り付けるポンプ５の押圧部５Pが、固定用ねじ４Aの回転中心のほぼ延長上に存在しているのが、固定用ねじ４Aの損傷防止のために好ましい。具体的には、上述の如く固定用ねじ４Aを備える下方突起４を容器開口部３と対向する位置である底面２Aの略中央に設け、固定用ねじ４Aとポンプ取付用ねじ３Aとの回転中心とがほぼ一直線になるようにすることが好ましい。
【００２８】
また、外に向かって凸になるように形成した球や楕円回転体などの曲面の中央部に開口部３を有する下方突起４（固定用ねじ４A）を設けるようにすれば更に好ましい。
【００２９】
ポンプ５はストローク量で吐出量が定まるので、一度に取り出す内容物の量を略一定にする定量取り出しの目的で好適に用いることができる。容器1が粘度の高い洗浄剤を内容物とする場合に、ポンプ容器は特に好んで用いられるが、そのような場合は使用者が必要以上に強い力でポンプ５を押すことが多い。従って、容器本体２の変形防止や固定用ねじ４の損傷防止の必要性が高いが、特に内容物の粘度が高い場合、本実施形態の如く構成することで剤を出すためにポンプ５の押圧部５Pを押したときの変形が抑制ないし防止される。
【００３０】
すなわち、取り付けるポンプ５の押圧部５Pが、固定用ねじ４Aの回転中心のほぼ延長上に存在しているのが好ましい。具体的には、上述の如く固定用ねじ４Aを容器本体２の開口部３と対向する位置である底面２Aの略中央に設け、固定用ねじ４Aとポンプ取付用ねじ３Aとの回転中心とがほぼ一直線になるようにすることが好ましい。
【００３１】
また、外に向かって凸になるように形成した球や楕円回転体などの曲面の中央部に開口部３Bを有する上方突起３や固定用ねじ４Aを有する下方突起４を設けるようにすれば更に好ましい。
【００３２】
さらに、容器本体２が全体として対称な形状になっていることが好ましい。
【００３３】
手洗い用洗浄剤が減ってくると、補充の必要がある。本実施形態では、容器１を洗面台8の容器取り付け部材９に取り付けたまま、ポンプ５を開口部３のねじから取り外して、上部の開口部3より補充する。
【００３４】
本実施形態では既述の如くポンプ5の液導入用チューブ５Aの先端にある液導入端５Bが固定用ねじ４を備えた下方突起内部４Bに達するようにしている。
【００３５】
ここで、下方に向かって凸になるように形成した楕円回転体様の曲面の中央部に固定用ねじ４を設けたので、残存する内容物である液体洗浄料は、その量が少なくなってきたとき重力の作用で下方突起内部４Bへと集まり、たまった内容物をポンプ５で吸い上げることが出来る。結果として、内容物が殆ど無くなるまで吐出することが出来る。
【００３６】
このように、本実施形態では載置場所に底部の固定用ねじ４Aで固定され、固定用ねじ４Aの存する容器本体２の底面２Aと対向する位置に剤を出すためのポンプ５を備えた開口部３を有する容器を用い、ポンプ５を開口部３に設けたねじ３Aから外すだけで容器本体は固定用ねじ４Aで固定したまま、開口部３より内容物を補充するという方法を採用するので、補充作業が簡単に行える。また、容器１が載置場所である洗面台８に固定された状態なので、補充時に転倒してこぼれる虞も無い。
【００３７】
本実施形態の容器１１は、図５の如く、シャンプー、リンス、液体石鹸などの液体化粧料を内容物として容器本体２の開口部３Bにポンプ５に代えてキャップ６を設けた化粧料製品７として流通させることもできる。
【００３８】
この場合、空になった容器１を容器取り付け部材９より取り外し、容器１が取り外された容器取り付け部材９の図示しない容器取り付けねじ（めねじ）に、化粧料製品７の容器本体２の固定用ねじ４を螺着させ、その後にキャップ６を新しい容器１の容器本体２より取り外し、代わりに今まで使用していた容器１より取り外したポンプ５を新たに容器取り付け部材９に取り付けた容器本体２の開口部３Bに取り付けるという方法で容器交換を実施することになる。
【００３９】
このように収納する内容物を出すための開口部３Bを、上記容器本体２の底面２Aから突出するように固定用ねじ４Aが設けてある容器本体に内容物、具体的にはシャンプー、リンスなどの界面活性剤入りの液体化粧料を収容した状態で内容物入り容器を化粧料製品７として提供し、上述のごとき方法で内容物の入った容器１、１１を交換するという方法で、洗面台８などで開口部３Bより容器本体に界面活性剤入りの液体化粧料を補充する際に剤をこぼしたりして周囲を汚すという虞が無くなる。
【００４０】
上述の如く、開口部３を、上記容器本体２の底面２Aから突出するように固定用ねじ４が設けてある容器本体に内容物を入れ、キャップで蓋をすると、ポンプが再利用できるので好ましいばかりでなく、充填や物流のコストも節減できる。
【００４１】
また、キャップを外しポンプに交換する際に容器本体が固定されているので、誤って転倒させて内容物がこぼれたりする虞もない。
【００４２】
本発明の容器は、その容器本体をいろいろな形状とすることが出来る。
【００４３】
たとえば、球体とし、その上部に開口部３を設け下部に固定用用ねじ４を設けることもできる。この場合、開口部３及び固定用ねじ４は直径の両端の位置になるように配置することが好ましい。
【００４４】
また、図６の如く、容器本体２２の形状を上方に向かって大きくなる形状とし、内容物が充填された状態での重心の高さが容器本体の上端から約３分の１より上に存在するといったきわめて不安定な形状とすることもできる。
【００４５】
本発明では容器を固定するので、このように、安定性を気にすることなく、通常の容器では困難な種々のデザインを採用できる。
【００４６】
また、容器の底面に設ける固定用ねじを容器本体に入り込む形式の雌ねじとし、容器取付部材９の側を雄ねじとしても良い。こうすることで、容器に横方向の強い力が加わったときにねじが壊れにくくなる。
この場合はポンプ５より延長している液導入用チューブ５Aが内容物を吸い上げることができなくなったとき、残量が比較的多くなる。従って、容器本体に内容物を入れキャップをした化粧料製品を交換用として提供すると経済性が悪いので、容器本体を載置場所すなわち容器取付部材９に固定した状態で、ポンプ５を外して開口部３より内容物を補充する補充方法を採用するのが好ましい。この方法によらないときは早めの補充を必要とする。
【００４７】
対して、固定用ねじ２４Aを雌ねじとしつつも図７のごとく容器本体２２の外部に突出する突起２４に設けたものは、図４に記載の実施態様と同様にポンプより延びた内容物を吸い上げるための液導入用チューブ５Ａの液導入端５Ｂを、下方突起の内部２４Bに至らせることが出来るので、内容物がほぼ無くなるまで吐出できる。
【００４８】
従って、容器本体を載置場所に固定した状態で、ポンプを外して開口部より補充することも、容器本体に内容物を入れた容器を準備し、載置場所即ち取り付け用ねじにその容器をつけかえることで内容物を補充することも、何れも経済性良く出来る。
【００４９】
容器取付部材１９を、図８に示す如く、壁面１０に取り付け、この容器取付部材１９に容器１を取り付けてもよい。この場合は洗面台の近傍でなくともよい。また、浴室の壁面などに容器取付部材１９を設けることも出来る。
【図面の簡単な説明】
【００５０】
【図１】本発明の実施形態に係る容器本体の正面図である。
【図２】本発明の実施形態に係るポンプを取付けた容器の斜視図である。
【図３】本発明の実施形態である容器を洗面台に備えた図である。
【図４】本発明の実施形態である容器本体の内部を示す部分断面図である。
【図５】本発明の実施形態であるキャップを取付けた容器の正面図である。
【図６】本発明の他の実施形態に係るポンプを取付けた容器の正面図である。
【図７】本発明の他の実施形態に係る容器本体の内部を示す部分断面図である。
【図８】本発明の容器を壁面に設けた取付部材にとりつけた状態を示す図である。
【符号の説明】
【００５１】
１、１１・・・容器
２、２２・・・容器本体
２A・・・底面
２B・・・上部壁面
２C・・・本体中央部
２D・・・固定ねじ接続部
３・・・上方突起
３A・・・ポンプ取付用ねじ
３B・・・開口部
４・・・下方突起
４A、２４A・・・固定用ねじ
４B、２４B・・・下方突起内部
５・・・ポンプ
５A・・・液導入用チューブ
５B・・・液導入端
５D・・・吐出口
５P・・・押圧部
６・・・キャップ
７・・・化粧料製品
８・・・洗面台
９、１９・・・容器取付部材
１０・・・壁面
【図１】
2006213339.tif 000003
【図２】
2006213339.tif 000004
【図３】
2006213339.tif 000005
【図４】
2006213339.tif 000006
【図５】
2006213339.tif 000007
【図６】
2006213339.tif 000008
【図７】
2006213339.tif 000009
【図８】
2006213339.tif 000010
【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
内容物を収納する容器本体に、内容物を出すための開口部と、載置場所への固定用ねじとが設けられ、上記開口部が上記固定用ねじとは異なった位置に設けられていると共に内容物を吐出するための手押しのポンプを有している容器。
【請求項２】
固定用ねじが開口部と対向する位置に設けられた請求項１記載の容器。
【請求項３】
上記ポンプを動作させるために加える力が上記対向する位置に向かうものである請求項２記載の容器。
【請求項４】
固定用ねじの内部が内容物を入れる空間の一部である請求項１ないし３記載のいずれかに記載の容器。
【請求項５】
固定用ねじが容器の底部に設けられ、上記ポンプの液導入用チューブの液導入端が、上記固定用ねじの内部に達している請求項４記載の容器。
【請求項６】
請求項１ないし５記載のいずれかに記載の容器に、内容物として界面活性剤入りの液体化粧料を収容した化粧料製品。 
【請求項７】
ポンプ取付用ねじが形成された内容物を出すための開口部と、該開口部とは対向する位置に設けられた載置場所への固定用ねじを有する容器本体。
【請求項８】
固定用ねじの内部が内容物を入れる空間の一部である請求項７記載の容器本体。
【請求項９】
ポンプ取付用ねじが形成された内容物を出すための開口部と、該開口部とは対向する位置に設けられた載置場所への固定用ねじであってその内部が内容物を入れる空間の一部である固定用ねじを有する容器本体に、内容物として界面活性剤入りの液体化粧料を収容し、上記開口部を蓋体で封じた化粧料製品。 
【請求項１０】
内容物を収容するための容器本体の、載置場所への固定用ねじが設けられた底部と対向する位置に剤を出すためのポンプを備えた開口部を設けた容器に剤を充填する方法であって、上記固定用ねじを用いて載置場所に固定された容器本体から上記ポンプを外し、容器本体が上記固定用ねじを用いて上記載置場所に固定された状態の下で上記容器本体に上記開口部より内容物を入れる、容器に剤を充填する方法。
【手続補正２】
【補正対象書類名】明細書
【補正対象項目名】全文
【補正方法】変更
【補正の内容】
【発明の詳細な説明】
【技術分野】
【０００１】
本発明は容器に係り、洗面台などで洗浄剤を使用するのに好適な容器に関する。
【背景技術】
【０００２】
浴室や洗面台などで、空間を有効に使用するために、台を設けてその上に使用するシャンプーなどの洗浄剤容器を置くものが知られている（特許文献１）。
【０００３】
また、同じ目的で吸盤によって壁に固定した平面視二股状の係着座を市販のポンプ付き容器のネジ筒に嵌めるものがある（特許文献２）。
一方、容器の下方に剤の出口を設けその周囲にネジを切って容器を栓に固定したものも知られている（特許文献３）。
【０００４】
しかるに、特許文献１記載のように台を設けてその上に使用するシャンプーを置くと、ぬれた手などでポンプを押した場合、横に滑って容器が転倒するなどの問題がある。
【０００５】
ポンプ容器を壁などに固定することで転倒は防止できるが、特許文献２に記載のようにポンプ容器の首部を細い係着座に固定すると、強い力で押したときに折れるなどの問題がある。
【０００６】
特許文献３において押したときに転倒したりずれたりすることはないが、液の重量を利用して滴下するので、押している時間に取り出される液量が依存し、内容液が多すぎたり少なすぎたりする場合がある。
【０００７】
【特許文献１】特開平２００２−１５３３９３号公報
【特許文献２】特開２００２−１５３３９３号公報
【特許文献３】特開平７−２２２６９３号公報
【発明の開示】
【発明が解決しようとする課題】
【０００８】
本発明は、上述の課題を解決するもので、洗面台などで転倒したりすることのない容器および容器の固定方法を提供するものである。
【課題を解決するための手段】
【０００９】
本発明は、内容物を収納する容器本体に内容物を出すための開口部を有し、上記容器本体に固定用ねじが設けられた容器であって、上記固定用ねじと異なった位置に螺旋の外部に上記開口部が存在している容器を提供することで、上記課題を解決する。
【発明の効果】
【００１０】
本発明の容器は、洗面台などで使用時に転倒することがない。本発明の容器は、洗面台などに安定して固定できる。本発明の内容物の補充方法は、補充にあたり内容物をこぼして周囲を汚すなどの虞が無い。
【発明を実施するための最良の形態】
【００１１】
以下、本発明の第一の実施の形態について、図１〜図５を使って説明する。
【００１２】
本発明の容器１の容器本体２は、図１に示す如く、収納する内容物を出すための開口部３B を有し、上記容器本体２の底面２A から突出する固定用ねじ４A が設けてある。すなわち、容器本体２では固定用ねじ４A とは別の位置に内容物を出し入れするための開口部３Bを有する上方突起３が本体上部壁面２B から突出して設けてあり、上方突起３の周囲にポンプ取付用ねじ３A が形成してある。
【００１３】
容器本体２は、図１等に示すように、円筒状の本体中央部２C と該本体中央部２C に連続し球または楕円回転体が外に向かって凸になる形状の底面２A と上部壁面２B とからなり、その上端および下端、すなわち底面２A と上部壁面２B の各々の中央部に、開口部３B を有する上方突起３と固定用ねじ４A を有する下方突起４とが突出している。
【００１４】
以上のように構成されているので、容器本体２は全体として開口部３B と固定用ねじ４A の中心を通る仮想的な軸ZZ’を中心とした回転体となっていて、軸ZZ’を含む任意の平面を対称面とする対称な形状になっている。
【００１５】
このように容器本体が全体として面対称あるいは線対称の形状、好ましくは回転体となっていることで、全体の強度が向上する。
【００１６】
固定用ねじ４A は前述の如く、開口部３B と対向する底面２A の略中央に設けられている。固定用ねじ４A （下方突起４）は図４に示すようにその内部が容器本体２の内部と連通する空間４C となっており、使用時には内容物で満たされる。この固定用ねじ４A の内部の空間４C には図４に示すようにポンプ５の液導入用チューブ５A の先端にある液導入端５B が達している。
【００１７】
図３に示すように、固定用ねじ４A にて、洗面台８に設けた容器取付部材９に容器１が固定される。
【００１８】
容器取付部材９は図示しないボルトがその下部９A より突出している。洗面台８の上面の図示しない孔に上記図示しないボルトが挿入され、該図示しないボルトに洗面台８の下方より図示しないナットが螺合して容器取付部材９が洗面台８に固定される。
【００１９】
固定用ねじ４A と容器本体２を挟むようにして対向する位置である容器本体２の上部中央には内容物を出し入れするための開口部３B を有する上方突起３が容器本体２の上部壁面２B から突出して設けてあり、上方突起３の周囲にポンプ取付用ねじ３A が形成してある。ポンプ取付用ねじ３A により、内容物を吐出するためのポンプ５が備えられる（図２）。
【００２０】
ポンプ５は図４に示すようにその下方に内容物を取り出すための液導入用チューブ５A が設けてあり、その先端（液導入端）５B は、固定用ねじ４A の内部の空間４C に達している。
【００２１】
本実施の形態では、内容物として界面活性剤入りの手洗い用洗浄剤が容器本体２に収容されている。使用者がポンプ５の押圧部５P を下方に押すことで、内容物の手洗い用洗浄剤は吐出口５D より吐出され、使用される。
【００２２】
なお、本発明で用いる内容物の界面活性剤入りの液体化粧料として、上述した手洗い用洗浄剤のほか、シャンプー、リンスなどの洗浄剤、顔用をはじめとする身体用洗浄料を挙げることができる。そのほか、うがい薬、口腔用洗浄剤などの殺菌（除菌）、消毒を目的とする剤や、台所洗剤等を内容物とすることもできる。
【００２３】
本実施形態の如く、固定用ねじ４A を開口部３B と対向する位置である底面２A の略中央に設けることで、内容物である洗浄剤を吐出するためにポンプ５の押圧部５P を必要以上に強い力で押した場合の固定用ねじ４A を備える下方突起４やその周囲の変形が防止できる。特に、本実施形態の如く、固定用ねじ４A とポンプ取付用ねじ３A の回転中心とがほぼ一直線になっているとき変形しにくい。
【００２４】
また、上述の如く、外に向かって凸になるように形成した球や楕円回転体などの曲面で構成される上部壁面２B および底面２A の中央部に各々開口部３B を有する突起３と固定用ねじ４A とが突出しているので、上部壁面２B あるいは底面２Aがそのほぼ全体で応力を分散支持することになり、この点からも変形しにくい。
【００２５】
さらに、容器本体２が記述の如く全体として対称な形状になっていることも変形防止に寄与している。
【００２６】
本実施態様では容器本体２を、上述の如く構成したので、ポンプ５を作動させる際の押し圧力による固定用ねじ４A と容器本体２とが接続される部分である固定ねじ接続部２D への応力が周に亘りほぼ均一にかかり、下方突起４（固定用ねじ４A）が固定ねじ接続部２D の部分で折れるなどの損傷を防止できる。
【００２７】
すなわち、取り付けるポンプ５の押圧部５P が、固定用ねじ４A の回転中心のほぼ延長上に存在しているのが、固定用ねじ４A の損傷防止のために好ましい。具体的には、上述の如く固定用ねじ４A を備える下方突起４を容器開口部３B と対向する位置である底面２A の略中央に設け、固定用ねじ４A とポンプ取付用ねじ３A との回転中心とがほぼ一直線になるようにすることが好ましい。
【００２８】
また、外に向かって凸になるように形成した球や楕円回転体などの曲面の中央部に開口部３B を有する上方突起３や下方突起４（固定用ねじ４A）を設けるようにすれば更に好ましい。
【００２９】
ポンプ５はストローク量で吐出量が定まるので、一度に取り出す内容物の量を略一定にする定量取り出しの目的で好適に用いることができる。容器１が粘度の高い洗浄剤を内容物とする場合に、ポンプ容器は特に好んで用いられるが、そのような場合は使用者が必要以上に強い力でポンプ５を押すことが多い。従って、容器本体２の変形防止や固定用ねじ４A の損傷防止の必要性が高いが、特に内容物の粘度が高い場合、本実施形態の如く構成することで剤を出すためにポンプ５の押圧部５P を押したときの変形が抑制ないし防止される。
【００３０】
すなわち、取り付けるポンプ５の押圧部５P が、固定用ねじ４A の回転中心のほぼ延長上に存在しているのが好ましい。具体的には、上述の如く固定用ねじ４A を容器本体２の開口部３B と対向する位置である底面２A の略中央に設け、固定用ねじ４A とポンプ取付用ねじ３A との回転中心とがほぼ一直線になるようにすることが好ましい。
【００３１】
また、外に向かって凸になるように形成した球や楕円回転体などの曲面の中央部に開口部３B を有する上方突起３や固定用ねじ４A を有する下方突起４を設けるようにすれば更に好ましい。
【００３２】
さらに、容器本体２が全体として対称な形状になっていることが好ましい。
【００３３】
手洗い用洗浄剤が減ってくると、補充の必要がある。本実施形態では、容器１を洗面台８の容器取り付け部材９に取り付けたまま、ポンプ５を開口部３B のねじから取り外して、上部の開口部３B より補充する。
【００３４】
本実施形態では既述の如くポンプ５の液導入用チューブ５A の先端にある液導入端５B が固定用ねじ４A を備えた下方突起内部空間４C に達するようにしている。
【００３５】
ここで、下方に向かって凸になるように形成した楕円回転体様の曲面の中央部に固定用ねじ４A を設けたので、残存する内容物である液体洗浄料は、その量が少なくなってきたとき重力の作用で下方突起内部空間４C へと集まり、たまった内容物をポンプ５で吸い上げることが出来る。結果として、内容物が殆ど無くなるまで吐出することが出来る。
【００３６】
このように、本実施形態では載置場所に底部の固定用ねじ４A で固定され、固定用ねじ４A の存する容器本体２の底面２A と対向する位置に剤を出すためのポンプ５を備えた開口部３B を有する容器を用い、ポンプ５を開口部３B に設けたねじ３A から外すだけで容器本体は固定用ねじ４A で固定したまま、開口部３B より内容物を補充するという方法を採用するので、補充作業が簡単に行える。また、容器１が載置場所である洗面台８に固定された状態なので、補充時に転倒してこぼれる虞も無い。
【００３７】
本実施形態の容器１１は、図５の如く、シャンプー、リンス、液体石鹸などの液体化粧料を内容物として容器本体２の開口部３B にポンプ５に代えてキャップ６を設けた化粧料製品７として流通させることもできる。
【００３８】
この場合、空になった容器１を容器取り付け部材９より取り外し、容器１が取り外された容器取り付け部材９の図示しない容器取り付けねじ（めねじ）に、化粧料製品７の容器本体２の固定用ねじ４A を螺着させ、その後にキャップ６を新しい容器１の容器本体２より取り外し、代わりに今まで使用していた容器１より取り外したポンプ５を新たに容器取り付け部材９に取り付けた容器本体２の開口部３B に取り付けるという方法で容器交換を実施することになる。
【００３９】
このように収納する内容物を出すための開口部３B と、上記容器本体２の底面２A から突出するように固定用ねじ４A が設けてある容器本体に内容物、具体的にはシャンプー、リンスなどの界面活性剤入りの液体化粧料を収容した状態で内容物入り容器を化粧料製品７として提供し、上述のごとき方法で内容物の入った容器１、１１を交換するという方法によれば、洗面台８などで開口部３B より容器本体に界面活性剤入りの液体化粧料を補充する際に剤をこぼしたりして周囲を汚すという虞が無くなる。
【００４０】
上述の如く、開口部３B を、上記容器本体２の底面２A から突出するように固定用ねじ４A が設けてある容器本体２に内容物を入れ、キャップで蓋をすると、ポンプが再利用できるので好ましいばかりでなく、充填や物流のコストも節減できる。
【００４１】
また、キャップを外しポンプに交換する際に容器本体が固定されているので、誤って転倒させて内容物がこぼれたりする虞もない。
【００４２】
本発明の容器は、その容器本体をいろいろな形状とすることが出来る。
【００４３】
たとえば、球体とし、その上部に開口部３B を設け下部に固定用ねじ４A を設けることもできる。この場合、開口部３B 及び固定用ねじ４A は直径の両端の位置になるように配置することが好ましい。
【００４４】
また、図６の如く、容器本体２２の形状を上方に向かって大きくなる形状とし、内容物が充填された状態での重心の高さが容器本体の上端から約３分の１より上に存在するといったきわめて不安定な形状とすることもできる。
【００４５】
本発明では容器を固定するので、このように、安定性を気にすることなく、通常の容器では困難な種々のデザインを採用できる。
【００４６】
また、容器の底面に設ける固定用ねじを容器本体２２に入り込む形式の雌ねじとし、容器取付部材９の側を雄ねじとしても良い。こうすることで、容器に横方向の強い力が加わったときにねじが壊れにくくなる。
この場合はポンプ５より延長している液導入用チューブ５A が内容物を吸い上げることができなくなったとき、残量が比較的多くなる。従って、容器本体に内容物を入れキャップをした化粧料製品を交換用として提供すると経済性が悪いので、容器本体を載置場所すなわち容器取付部材９に固定した状態で、ポンプ５を外して開口部３B より内容物を補充する補充方法を採用するのが好ましい。この方法によらないときは早めの補充を必要とする。
【００４７】
対して、固定用ねじ２４A を雌ねじとしつつも図７のごとく容器本体２２の外部に突出する突起２４に設けたものは、図４に記載の実施態様と同様にポンプより延びた内容物を吸い上げるための液導入用チューブ５Ａの液導入端５Ｂを、下方突起の内部２４B に至らせることが出来るので、内容物がほぼ無くなるまで吐出できる。
【００４８】
従って、容器本体を載置場所に固定した状態で、ポンプを外して開口部より補充することも、容器本体に内容物を入れた容器を準備し、載置場所即ち取り付け用ねじにその容器をつけかえることで内容物を補充することも、何れも経済性良く出来る。
【００４９】
容器取付部材１９を、図８に示す如く、壁面１０に取り付け、この容器取付部材１９に容器１を取り付けてもよい。この場合は洗面台の近傍でなくともよい。また、浴室の壁面などに容器取付部材１９を設けることも出来る。
【図面の簡単な説明】
【００５０】
【図１】本発明の実施形態に係る容器本体の正面図である。
【図２】本発明の実施形態に係るポンプを取付けた容器の斜視図である。
【図３】本発明の実施形態である容器を洗面台に備えた図である。
【図４】本発明の実施形態である容器本体の内部を示す部分断面図である。
【図５】本発明の実施形態であるキャップを取付けた容器の正面図である。
【図６】本発明の他の実施形態に係るポンプを取付けた容器の正面図である。
【図７】本発明の他の実施形態に係る容器本体の内部を示す部分断面図である。
【図８】本発明の容器を壁面に設けた取付部材にとりつけた状態を示す図である。
【符号の説明】
【００５１】
１、１１・・・容器
２、２２・・・容器本体
２A・・・底面
２B・・・上部壁面
２C・・・本体中央部
２D・・・固定ねじ接続部
３・・・上方突起
３A・・・ポンプ取付用ねじ
３B・・・開口部
４・・・下方突起
４A、２４A・・・固定用ねじ
４B、２４B・・・下方突起内部
５・・・ポンプ
５A・・・液導入用チューブ
５B・・・液導入端
５D・・・吐出口
５P・・・押圧部
６・・・キャップ
７・・・化粧料製品
８・・・洗面台
９、１９・・・容器取付部材
１０・・・壁面